(57)【要約】【課題】  ＨＤＤブラケットとリアパネルと天ケースのビス止め作業の際にＨＤＤパネルが内側に倒れることを防ぐことができ、ビス締めが容易にできて組み付け作業が行い易い。【解決手段】  リアパネル１の内側にＨＤＤブラケット２を配置すると共に外側に天ケース３の垂直部分を配置し、ＨＤＤブラケット２の上端にリアパネル１の上端折曲部１ａに当接する凸部２ａが形成されており、リアパネル１には、その下側にＡＣコード４のブッシュ５が取り付けられており、ＨＤＤブラケット２には、水平部２ｂより下側に突出するリブ２ｃが延設され、リブ２ｃの先端が略Ｌ字形の係止片部２ｄとして屈曲形成されていて、略Ｌ字形の係止片部２ｄがＡＣコード４のブッシュ５の溝部５ａの内側に入り込んで係止され、リアパネル１とＨＤＤブラケット２と天ケース３の各上端部をビス止めする際に、ＨＤＤブラケット２が内側に倒れてしまうことを防止するようにした。【選択図】  図１
2007141387.tif 000002
【特許請求の範囲】
【請求項１】
リアパネルの内側にＨＤＤブラケットを配置すると共に外側に天ケースの垂直部分を配置し、前記ＨＤＤブラケットの上端に前記リアパネルの上端折曲部に当接する凸部が形成されており、前記リアパネルと前記ＨＤＤブラケットと前記天ケースを一体にビス止めするようにしたＨＤＤ装置において、前記リアパネルには、その下側にＡＣコードのブッシュが取り付けられており、前記ＨＤＤブラケットには、水平部より下側に突出するリブが延設され、このリブの先端が略Ｌ字形の係止片部として屈曲形成されていて、この略Ｌ字形の係止片部が前記ＡＣコードの前記ブッシュの溝部の内側に入り込んで係止され、前記リアパネルとＨＤＤブラケットと天ケースの各上端部をビス止めする際に、前記ＨＤＤブラケットが内側に倒れてしまうことを防止するようにしたことを特徴とするＨＤＤ装置。
【請求項２】
リアパネルの内側にＨＤＤブラケットを配置すると共に外側に天ケースの垂直部分を配置し、前記ＨＤＤブラケットの上端に前記リアパネルの上端折曲部に当接する凸部が形成されており、前記リアパネルとＨＤＤブラケットと天ケースを一体にビス止めするようにしたＨＤＤ装置において、前記リアパネルには、その下側にＡＣコードのブッシュが取り付けられており、前記ＨＤＤブラケットには、水平部より下側に突出するリブが延設され、このリブの先端が前記ＡＣコードの前記ブッシュの溝部の内側に入り込んで係止され、前記リアパネルとＨＤＤブラケットと天ケースの各上端部をビス止めする際に、前記ＨＤＤブラケットが内側に倒れてしまうことを防止するようにしたことを特徴とするＨＤＤ装置。
【請求項３】
前記ＨＤＤブラケットの先端に略コ字形の係止片部が形成されており、この略コ字形の係止片部が前記ＡＣコードのブッシュの溝部の内側に入り込んで係止されるようにした請求項２に記載のＨＤＤ装置。
【発明の詳細な説明】
【技術分野】
【０００１】
本発明は、リアパネルの内側にＨＤＤブラケットを配置すると共に外側に天ケースの垂直部分を配置し、ＨＤＤブラケットの上端にリアパネルの上端折曲部に当接する凸部が形成されており、リアパネルとＨＤＤブラケットと天ケースを一体にビス止めするようにしたＨＤＤ装置に関するものである。
【背景技術】
【０００２】
従来、ＨＤＤ装置のリアパネルとＨＤＤブラケットと天ケースをビス止めするには、図５、図６に示すように、リアパネル１０１の内側にＨＤＤブラケット１０２を配置すると共に外側に天ケース１０３を配置し、上部側に設けられたビス孔１０１ａ、１０２ａ、１０３ａにビス１０４をネジ込んでリアパネル１０１とＨＤＤブラケット１０２と天ケース１０３とを一体化していた。また、ＨＤＤブラケット１０２の上端に凸部１０２ｂを突設し、この凸部１０２ａをリアパネル１０１の上端折曲部１０１ｂに当接させて、ネジ止めの際にＨＤＤブラケット１０２が内側に倒れることを防ぐようにしていた。
【０００３】
しかし、ＨＤＤパネル１０２をリアパネル１０１の上から凸部１０２ｂとの当接だけで保持するだけでは不十分であり、ビス止めの際にビス１０４の先端でＨＤＤブラケット１０２が内側に押されてしまい、図５に一点鎖線で示すように、ＨＤＤブラケット１０２の上部側が内側に倒れてしまい、ビス１０４のビス止め作業が行い難く、組み立て作業が困難であるという問題があった。
【０００４】
第１の従来技術を図７、図８に示す。この従来の電子機器のキャビネット構造は、図７、図８に示すように、メカニズム基体２０２が載置されるシャーシ２０１の高さをメカニズム基体２０２の高さより小さく、セットの高さの略１／２に設計すると共に、メカニズム基体２０２の４側面のみを囲う枠状に形成し、この枠状の左右側面から後方へ突出壁２０１ｄを有するシャーシ２０１と、電源回路及び端子板等が後方に配置され、シャーシ底面側から取着されるプリント基板（図示略）と、シャーシ前面に係合取着されるフロントパネル２０３と、シャーシ後面に係合取着されるリアパネル２０４と、シャーシ２０１及びリアパネル２０４に螺着される断面コ字形のカバートップ２０５とで構成し、プリント基板の前方端縁及び後方端縁を、それぞれフロントパネル２０３とリアパネル２０４で位置規制・保持させるものである。（例えば、特許文献１参照）。
【０００５】
ところが、これにおいてはビス止め時におけるシャーシ２０１の前後方向へのズレに関しては何も対策が施されていないものであった。
【特許文献１】特開平８−８５４７号公報
【発明の開示】
【発明が解決しようとする課題】
【０００６】
本発明は、上記従来の問題に鑑みてなされたものであって、ＨＤＤブラケットとリアパネルと天ケースのビス止め作業の際にＨＤＤパネルが内側に倒れることを防ぐことができ、ビス締めが容易にできて組み付け作業が行い易いＨＤＤ装置を提供することを目的としている。
【課題を解決するための手段】
【０００７】
本発明は、上記課題を解決するために提案されたものであって、請求項１に記載の発明は、リアパネルの内側にＨＤＤブラケットを配置すると共に外側に天ケースの垂直部分を配置し、前記ＨＤＤブラケットの上端に前記リアパネルの上端折曲部に当接する凸部が形成されており、前記リアパネルと前記ＨＤＤブラケットと前記天ケースを一体にビス止めするようにしたＨＤＤ装置において、前記リアパネルには、その下側にＡＣコードのブッシュが取り付けられており、前記ＨＤＤブラケットには、水平部より下側に突出するリブが延設され、このリブの先端が略Ｌ字形の係止片部として屈曲形成されていて、この略Ｌ字形の係止片部が前記ＡＣコードの前記ブッシュの溝部の内側に入り込んで係止され、前記リアパネルとＨＤＤブラケットと天ケースの各上端部をビス止めする際に、前記ＨＤＤブラケットが内側に倒れてしまうことを防止するようにしたことを特徴としている。
【０００８】
請求項２に記載の発明は、リアパネルの内側にＨＤＤブラケットを配置すると共に外側に天ケースの垂直部分を配置し、前記ＨＤＤブラケットの上端に前記リアパネルの上端折曲部に当接する凸部が形成されており、前記リアパネルとＨＤＤブラケットと天ケースを一体にビス止めするようにしたＨＤＤ装置において、前記リアパネルには、その下側にＡＣコードのブッシュが取り付けられており、前記ＨＤＤブラケットには、水平部より下側に突出するリブが延設され、このリブの先端が前記ＡＣコードの前記ブッシュの溝部の内側に入り込んで係止され、前記リアパネルとＨＤＤブラケットと天ケースの各上端部をビス止めする際に、前記ＨＤＤブラケットが内側に倒れてしまうことを防止するようにしたことを特徴としている。
【０００９】
請求項３に記載の発明は、請求項２に記載の発明において、前記ＨＤＤブラケットの先端に略コ字形の係止片部が形成されており、この略コ字形の係止片部が前記ＡＣコードのブッシュの溝部の内側に入り込んで係止されるようにした。
【発明の効果】
【００１０】
請求項１に記載の発明によれば、ＨＤＤブラケットの上端の凸部がリアパネルの上端折曲部に当接すると共に、ＨＤＤブラケットの水平部より下側に突設されたリブの先端がリアパネルに取り付けられたＡＣコードのブッシュの溝部の内側に入り込んでいるから、リアパネルとＨＤＤブラケットとを隙間の無い状態にすることができ、リアパネルの外側の天ケースから差し込まれるビスによってＨＤＤブラケットが押されて内側に倒れることがない。このことによって、ＨＤＤブラケットの内側への倒れを防止することができ、ビス締めが容易にできて組み付け作業が行い易い。更に、ＨＤＤブラケットの先端が略Ｌ字形の係止片部に形成されているから、この略Ｌ字形の係止片部がＡＣコードのブッシュの溝部の内側に沿ってその接触面積が大きくなることにより、ＨＤＤブラケットがビス止めの際に内側に倒れることをより一層防ぐことができ、ビス締め作業が行い易い。
【００１１】
請求項２に記載の発明によれば、ＨＤＤブラケットの上端の凸部がリアパネルの上端折曲部に当接すると共に、ＨＤＤブラケットの水平部より下側に突設されたリブの先端がリアパネルに取り付けられたＡＣコードのブッシュの溝部の内側に入り込んでいるから、リアパネルとＨＤＤブラケットとを隙間の無い状態にすることができ、リアパネルの外側の天ケースから差し込まれるビスによってＨＤＤブラケットが押されて内側に倒れることがない。このことによって、ＨＤＤブラケットの内側への倒れを防止することができ、ビス締めが容易にできて組み付け作業が行い易い。
【００１２】
請求項３に記載の発明によれば、HDDブラケットの先端が略コ字形の係止片部に形成されているから、この略コ字形の係止片部がＡＣコードの溝部の内側に隙間無く入り込んでビス止めの際にＨＤＤブラケットが内側に倒れることをより一層防ぐことができ、ビス止め作業を支障なく容易に行うことができる。
【発明を実施するための最良の形態】
【００１３】
以下、本発明に係るＨＤＤ装置について、図を参照しつつ説明する。
【００１４】
図１は本発明の第１実施形態のＨＤＤ装置におけるＨＤＤブラケットとリアパネルと天ケースのビス止めによる組み付け状態を示す部分概略正面図、図２は同装置の要部であるＨＤＤケースの部分斜視図である。
【００１５】
この第１実施形態のＨＤＤ装置は、図１（ａ）に示すように、リアパネル１の内側にＨＤＤブラケット２が配置されると共に外側に天ケース３の垂直部分が配置されている。図１（ｂ）にも示すように、ＨＤＤブラケット２には上端にリアパネル１の上端折曲部１ａに当接する凸部２ａが形成され、水平部２ｂより下側に突出するリブ２ｃが延設され、このリブ２ｃの先端が略Ｌ字形の係止片部２ｄとして屈曲形成されている。リアパネル１にはその下側にＡＣコード４のブッシュ５が取り付けられ、ＨＤＤブラケット２の先端の略Ｌ字形の係止片部２ｄがブッシュ５の溝部５ａの内側に入り込んで係止されている。この状態で天ケース３の外側からビス６が天ケース３のビス孔３ａとリアパネル１のビス孔１ｂとＨＤＤブラケット２のビス孔２ｅに挿入され、このビス６の先端がＨＤＤブラケット２の内側に取着されたナット部材７に螺合されるようになっている。
【００１６】
従って、この第１実施形態のＨＤＤ装置によれば、ＨＤＤブラケット２の上端の凸部２ａがリアパネル１の上端折曲部１ａに当接すると共に、ＨＤＤブラケット２の水平部２ｂより下側に突設されたリブ２ｃの先端の略Ｌ字形の係止片部２ｄがリアパネル１に取り付けられたＡＣコード４のブッシュ５の溝部５ａの内側に入り込んでいるから、リアパネル１とＨＤＤブラケット２とを隙間の無い状態にすることができ、リアパネル１の外側の天ケース３から差し込まれるビス６によってＨＤＤブラケット２が押されて内側に倒れることがない。このことによって、ＨＤＤブラケット２の内側への倒れを防止することができ、ビス締めが容易にできて組み付け作業が行い易い。更に、略Ｌ字形の係止片部２ｄがＡＣコード４のブッシュ５の溝部５ａの内側に沿ってその接触面積が大きくなることにより、ＨＤＤブラケット２がビス止めの際に内側に倒れることをより一層防ぐことができ、ビス締め作業が行い易い。
【００１７】
図３は第２実施形態のＨＤＤ装置におけるＨＤＤブラケットとリアパネルと天ケースのビス止めによる組み付け状態を示す部分概略正面図、図４は同装置の要部であるＨＤＤケースの部分斜視図である。尚、上記した第１実施形態と同じ部材、同じ箇所には同じ符号を付してその説明を省略する。
【００１８】
この第２実施形態のＨＤＤ装置は、図３、図４に示すように、ＨＤＤブラケット２の先端に略コ字形の係止片部２ｆが形成されている。この略コ字形の係止片部２ｆがＡＣコード４のブッシュ５の溝部５ａの内側に入り込んで係止されている。
【００１９】
この第２実施形態によれば、略コ字形の係止片部２ｆがＡＣコード４の溝部５ａの内側に隙間無く入り込んでビス止めの際にＨＤＤブラケット２が内側に倒れることをより一層防ぐことができ、ビス止め作業を支障なく容易に行うことができる。
【図面の簡単な説明】
【００２０】
【図１】本発明の第１実施形態のＨＤＤ装置におけるＨＤＤブラケットとリアパネルと天ケースのビス止めによる組み付け状態を示す部分概略正面図である。
【図２】同装置の要部であるＨＤＤケースの部分斜視図である。
【図３】第２実施形態のＨＤＤ装置におけるＨＤＤブラケットとリアパネルと天ケースのビス止めによる組み付け状態を示す部分概略正面図である。
【図４】同装置の要部であるＨＤＤケースの部分斜視図である。
【図５】従来のＨＤＤ装置におけるＨＤＤブラケットとリアパネルと天ケースのビス止めによる組み付け状態を示す部分概略正面図である。
【図６】同装置におけるＨＤＤブラケットとリアパネルと天ケースの取り付け前の状態を示す部分分解斜視図である。
【図７】従来の電子機器のキャビネット構造を示す分解斜視図である。
【図８】同構造の部分分解斜視図である。
【符号の説明】
【００２１】
１          リアパネル
１ａ        上端折曲部
１ｂ        ビス孔
２          ＨＤＤブラケット
２ａ        凸部
２ｂ        水平部
２ｃ        リブ
２ｄ        略Ｌ字形の係止片部
２ｅ        ビス孔
２ｆ        略コ字形の係止片部
３          天ケース
３ａ        ビス孔
４          ＡＣコード
５          ブッシュ
５ａ        溝部
６          ビス
７          ナット部材
【図１】
2007141387.tif 000003
【図２】
2007141387.tif 000004
【図３】
2007141387.tif 000005
【図４】
2007141387.tif 000006
【図５】
2007141387.tif 000007
【図６】
2007141387.tif 000008
【図７】
2007141387.tif 000009
【図８】
2007141387.tif 000010